(57)【要約】      （修正有）【課題】自在に読書態勢を調節することによって、使用者の健康を保ち、腰痛や近視等を予防する調節自在な読書デスクを提供する。      【解決手段】底板１と面板２をを含み、面板が摩擦蝶番と底フレーム９とを通して連接し、底フレームと底板間は滑動して連接する。底フレーム両端は各々滑動ユニットが設置され、底板に縦向の滑動レール１１を成形し、底フレーム両端の滑動ユニットを底板上の滑動レール内に設置する。更に物置枠５を含み、その物置枠は長方形板体で、水平に設置し、面板と約９０度角に形成される。この物置枠の両端には滑動固定構造が設置され、その滑動固定構造と面板の両側は滑動して連接され、任意位置に固定される。物置枠上には本押圧器３が設置される。【選択図】図１
0003109811.tif 000002
【実用新案登録請求の範囲】
【請求項１】
読書、物書き、タイピング、絵画に使用する調節自在な読書デスクにおいて、
底板と面板とを有し、前記面板と底板との間に摩擦蝶番を設置し、前記面板と底板はこの摩擦蝶番を通して接続され、この面板と底板とを任意の角度で固定可能としたことを特徴とする調節自在な読書デスク。
【請求項２】
前記調節自在な読書デスクは、底フレームを有し、前記面板はこの底フレームと底板を通して連接し、底フレームと面板の間には摩擦蝶番が設置され、この摩擦蝶番を通して相互に可動連接し、前記面板と底フレームとの間は任意の角度で安定して固定され、前記底フレームと底板との間は滑動連接することを特徴とする請求項１記載の調節自在な読書デスク。
【請求項３】
前記底フレームは、両端にそれぞれ滑動ユニットを設置し、前記底板上に縦向の滑動レールを設置し、底フレーム両端の滑動ユニットを前記底板の滑動レール内に設置することを特徴とする請求項２記載の調節自在な読書デスク。
【請求項４】
前記滑動レールは、収蔵式回転玉滑動レールで、前記底板の正面に設置され、前記滑動ユニットは回転玉式の滑動ユニットであることを特徴とする請求項３記載の調節自在な読書デスク。
【請求項５】
前記滑動レールは、回転玉滑動レールで、前記底板の左右両側下面に各々設置され、前記滑動ユニットは回転玉式滑動ユニットであることを特徴とする請求項３記載の調節自在な読書デスク。
【請求項６】
前記滑動レール上の任意位置に滑動ユニットをネジにて固定することを特徴とする請求項４または５記載の調節自在な読書デスク。
【請求項７】
物置枠を含み、この物置枠は長方形板体で、水平に設置され、前記面板と９０度角で形成され、この物置枠の両端には滑動固定構造を備え、その滑動固定構造と前記面板の両側は滑動して連接し、自在に固定されることを特徴とする請求項１、２，３，４もしくは５のいずれかに記載の調節自在な読書デスク。
【請求項８】
前記滑動定位構造は、前記面板両側の滑動レールを含み、前記物置枠両端の滑動槽に位置し、また前記面板両側の固定歯棒に位置し、且つ物置枠両端の同軸連動装置一側面弾性爪車に位置するもので、滑動レールと滑動槽とが合わさり、物置枠全体が面板上で滑動し、歯棒は同軸連動装置と噛み合い、物置枠両端を同時に動かし、弾性爪車が同軸連動装置と噛み合って固定されることを特徴とする請求項７記載の調節自在な読書デスク。
【請求項９】
前記物置枠は、本押圧器を設置し、その本押圧器は湾曲した弾性板体で、滑動塊上で着脱自在に固定し、この滑動塊は物置枠上の横向滑動レール上に設置するもので、本押圧器の押圧端は面板上で弾性を具えて押圧し、面板の結合部は外向きの円弧形面を形成し、その円弧形面にはゴムカバーを被せることを特徴とする請求項７記載の調節自在な読書デスク。
【請求項１０】
前記物置枠は、本押圧器を設置し、この本押圧器はワイパー式で、回転端は物置枠に設置し、回転端上に摩擦桿を設置して、本押圧桿とすることを特徴とする請求項７記載の調節自在な読書デスク。
【請求項１１】
前記面板は、本押圧器を設置し、その本押圧器は下垂式の本押圧器で、面板上の摩擦蝶番に設置し、摩擦蝶番と面板に接続した下垂式押圧桿を通り、この下垂式押圧桿面は面板に対する一面が粗面であることを特徴とする請求項１，２，３もしくは４のいずれかに記載の調節自在な読書デスク。
【請求項１２】
前記底板は、独立した板体で、勉強机のデスク面、物書き机のデスク面、事務机のデスク面等に設置することを特徴とする請求項１，２，３，４，５８，９もしくは１０のいずれかに記載の調節自在な読書デスク。
【考案の詳細な説明】
【技術分野】
【０００１】
本考案は、調節自在な読書デスクに係り、特に健康に良好な調節自在な読書デスクに関する。
【背景技術】
【０００２】
人は、読書や字を書く時、机やテーブルを使用するが、これらは通常デスク面が水平な平面である。そして、デスク面に本を置き、手で本を斜めにして読む。この一般的な読書方法で決まった姿勢を長時間続ける。そのため、疲労しやすく、更には健康にも影響を及ぼしやすく、且つ近視や頚椎の病気、腰痛などを起こしやすい。
【０００３】
そのため、各種自在に読書態勢を変えるデスクが必要である。このようなデスクとしては、中国に申請受理された調節自在な読書デスクがある。
【特許文献１】中国  特許０２２０９３６１３号
【考案の開示】
【考案が解決しようとする課題】
【０００４】
しかしながら、上述の調節自在な読書デスクは、構造が複雑で外観から見ても複雑であるため、美観にも欠ける。更に、固定デスク面に結合することが出来ない。
【０００５】
本考案は、上述の問題を改善することができる調節自在な読書デスクを提供することを目的とする。すなわち、本考案は構造が簡単で、且つ一般の机に本考案に係るデスクを結合し、読書や字を書く時に適する態勢を取ることができ、それをデスクの使用効果を損なうことなく実現した。
【課題を解決するための手段】
【０００６】
本考案は、底板と面板を含み、面板が摩擦蝶番と底フレームと通して連接し、底フレームと底板間は滑動して連接する。底フレーム両端は各々滑動ユニットが設置され、底板に縦向の滑動レールを成形し、底フレーム両端の滑動ユニットを底板上の滑動レール内に設置する。この調節自在読書デスクは更に物置枠を含み、その物置枠は長方形板体で、水平に設置し、面板と約９０度角に形成される。この物置枠の両端には滑動定位構造が設置され、その滑動定位構造と面板の両側は滑動して連接され、任意に定位する。物置枠上には本押圧器が設置される。
【考案の効果】
【０００７】
本考案の調節自在な読書デスクは、自在に読書態勢を調節することが可能であり、その調節によって、使用者の健康を保ち、腰痛や近視等を予防し、更に美観を備え、且つ通常のデスク面に連接することができるという利点がある。
【考案を実施するための最良の形態】
【０００８】
以下、図面を参照して本考案の実施例を説明する。
【実施例１】
【０００９】
図１、２に示すとおり、本考案の実施例のデスクは、底板１と面板２とから構成され、この底板１と面板２の間に底フレーム９が設置される。前記面板２と底フレーム９の間は、二個の摩擦蝶番１３で接続され、前記面板２は摩擦蝶番１３と底フレーム２の連接によって、任意の角度で固定することができる。前記底フレーム９の両端は、底板１上に設置した滑動レール１１を通過し、同時に底フレーム９の両端はネジ１０で固定し、底フレームが底板１上の自在距離で固定される。
【００１０】
図３に示すとおり、本実施例の底フレーム９両端の滑動固定構造は、底板１両側の下面に各々縦向きの滑動レール溝１４を成形することによって達成している。この滑動レール溝１４内に滑動ユニット１５を設置し、この滑動ユニット１５と底フレーム９の両端は連接される。この滑動レール溝１４は、回転玉滑動レール溝で、滑動ユニット１５は回転玉である。
【００１１】
図１に示すとおり、面板２の正面には物置枠５が設置される。この物置枠５の両端には、各々滑動固定装置が設置され、前記物置枠５は面板１上で上下移動して固定される。
【００１２】
図１、図４に示すとおり、本実施例の物置枠５は長方形板体で、この板体は水平に設置される。この両端には、滑動固定装置を設置し、面板２の両側で滑動して結合する。物置枠５と面板２は、凡そ９０度の角が形成される。
【００１３】
図４、５，６に示すとおり、前記滑動装置は、面板２の両側に各々歯棒２０と滑動レール７を設置している。また、物置枠５の両端には、各々滑動槽８が設置され、この滑動槽８と滑動レール７が結合して滑動する。滑動槽８の外側には、物置枠側面板２１が設置され、その物置枠側面板２１は滑動槽８と共に滑動する。この二枚の物置枠側面板２１の間に、物を置く板が設置され、物置枠５を面板２上で移動させたり、固定させたりする。二枚の物置枠側面板２１の間には、横向軸１９が設置され、この横向軸１９の両端は歯棒２０の位置に対応して同軸連動装置１７に設置され、且つ同軸連動装置１７と歯棒２０が噛み合い、横向軸１９と二つの同軸連動装置１７が同時に動く。この他、同軸連動装置１７を固定させるため、物置枠側面板２１内側に弾性爪車１８を設置し、その弾性爪車１８が同軸連動装置１７上で止まることによって、同軸連動装置１７を停止させたり、固定させたりする。弾性爪車１８は、爪車軸上に設置されたバネによって弾力を備える。
【００１４】
図１、４に示すとおり、本実施例の物置枠５上には、横向滑動槽４が設置され、この横向滑動槽４上には二つの滑動塊６が設置され、そこ滑動塊６上には本押圧器３が設置される。この本押圧器３は弾性を有し、面板２上の本のページを押さえる。
【００１５】
図７に示すとおり、この本押圧器の押圧端２３は、面板２の板面に対して外向きに円弧形面２４が形成され、その円弧形面２４によって、ページをめくった後の縁の配列方式に適し、本を押さえる効果が高まる。本を押さえる摩擦効果を更に高めるには、本押圧器３の押圧端２３上にゴムカバーを被せる。
【００１６】
本実施例のデスクを使用する時には、底フレーム９と面板２の間に摩擦蝶番１３が設置されているので、面板２とを水平面を任意の角度に固定し、本を置き易くする。角度を変更する場合には、摩擦蝶番１３を調節する。更に、面板２を水平に設置すると、本実施例では体積が小さくなり、運送もしくは収納に便利である。底板１と底フレーム９の間には、滑動定位装置が設置され、調節自在な読書デスクの面板２は、底板１に相対して前後に移動し、自在に定位する。またネジ１０で前後を定位して固定する。物置枠５は、本や資料を立て、上下移動によって多種多様な規格の書籍を設置する。本押圧器の円弧形面２４によって本をめくるのが便利である。
【００１７】
本実施例に係るデスクの安定した設置及び使用を維持するため、底板１下側にはゴム底１２を設置し、底板を押し上げるため、底フレーム９の滑動と定位が可能となり、同時に設置が安定する。本実施例は、独立した底板の台構造であるため、読書デスクに設置して、結合して使用できる。
【実施例２】
【００１８】
図８，９，１０に示すとおり、本実施例の調節自在読書デスクは、基本構造は実施例１と同じである。異なる部分は、底フレーム９両端の滑動装置が底板１下側に設置するのではなく、底板１の上方に設置する。この底板１は、字を書くデスク面で、デスク面上には二つの縦向凹槽２５が設置され、その縦向凹槽２５内に滑動レール槽１４が設置される。この滑動レール槽１４は一般的なテレビの回転玉滑動レールで、その回転玉滑動レール内に滑動ユニット１５を設置する。表面を美しくするため、この縦向凹槽２５上に蓋２６を設置し、滑動ユニット１５が動けるように隙間を残す。底フレーム９の両端には各々滑動ユニット１５上で固定され、底フレーム９がデスク面上で前後に滑動し、底フレーム９は底板１上の縦方向で任意に定位する。底フレーム９上には内向きに突出した定位板２７が設置され、その定位板２７とデスク面は平行で、定位板２７上にネジ釘１６で定位し、ネジ釘１６を締めて底フレーム９の前後を定位する。
【００１９】
本実施例の構造は、勉強机、事務机等に適する。
【実施例３】
【００２０】
本実施例には図の説明を添付していないが、底フレームを使用しないで、平面板体を摩擦蝶番に通し、底板上の一部位に直接固定する。
【００２１】
本考案の本押圧器は、その他の方式でもよい。例として、車のワイパー式本押圧器は、図９に示すとおり、ワイパーの回転端３０を物置枠５上に設置し、ワイパーの摩擦桿２９を本押圧桿とする。ワイパーの回転端３０を面板２上部に設置してもよく、その場合もワイパーの摩擦桿２９を本押圧桿とする。このワイパー式押圧器は使用しない時には倒しておく。
【００２２】
図１０に示すのは、下垂式押圧器で、面板２上に摩擦蝶番３１を設置し、その摩擦蝶番３１に下垂式の押圧桿３２を連接し、下垂式押圧器の押圧面は粗面でよい。この摩擦蝶番３１は滑動体上に設置してもよく、滑動体は平行に面板の横向に設置した軸体上に設置し、軸体に沿って滑動し、本押圧器の位置を調整する。
【図面の簡単な説明】
【００２３】
【図１】本考案実施例１のデスクを示す斜視図である。
【図２】本考案実施例１のデスクをします背面図である。
【図３】本考案実施例１の底フレーム滑動固定定位構造を示す説明図である。
【図４】本考案実施例１の本設置台構造を示す説明図である。
【図５】本考案実施例１の本設置台滑動固定定位構造を示す側面図である。
【図６】本考案実施例１の本設置台滑動固定構造を示す説明図である。
【図７】本考案実施例１の本押圧器端部構造を示す説明図である。
【図８】本考案実施例２の底フレーム滑動固定構造を示す説明図である。
【図９】本考案実施例のワイパー式本押圧器構造を示す説明図である。
【図１０】本考案実施例の下垂式本押圧器の一例を示す説明図である。
【符号の説明】
【００２４】
１        底板
１１        滑動レール
１２        ゴム底
１３        摩擦蝶番
１４        滑動レール溝
１５        滑動ユニット
１６        ネジ
１７        同軸連動装置
１８        弾性爪車
１９        横向軸
２        面板
２０        歯棒
２１        物置枠
２２        バネ
２３        押圧端
２４        円弧形面
２５        縦向凹槽
２６        蓋
２７        定位板
２９        摩擦桿
３        本押圧器
３０        回転端
３１        摩擦蝶番
３２        押圧桿
４        横向滑動槽
５        物置枠
６        滑動塊
７        滑動レール
８        滑動槽
９        底フレーム
１０        ネジ     
代理人  弁理士    伊藤  進
【図１】
0003109811.tif 000003
【図２】
0003109811.tif 000004
【図３】
0003109811.tif 000005
【図４】
0003109811.tif 000006
【図５】
0003109811.tif 000007
【図６】
0003109811.tif 000008
【図７】
0003109811.tif 000009
【図８】
0003109811.tif 000010
【図９】
0003109811.tif 000011
【図１０】
0003109811.tif 000012